(57)【要約】      （修正有）【課題】延長コードが壊れた場合に側辺からサイドカバーを外して速やかに延長コードコンセントを交換して、電源供給の安全性を確保できるモニタースタンドを提供する。【解決手段】モニタースタンドは、本体と、延長コードコンセントと、サイドカバーと、を含む。本体１０は、テーブルトップ１１と、テーブルトップの両側端に位置する二側辺支脚１２とを有し、二側辺支脚の少なくとも一方に収容空間１３を有し、収容空間に側壁１３１と、外に向かって開放する側辺開口１３２とを有し、側壁にＵ字型フラットケーブル溝１３３を有する。延長コードコンセント２０は、収容空間に収容され、側辺開口に向かって少なくとも一つの電源差込口２１と、Ｕ字型フラットケーブル溝を通す電源線２２を有する。サイドカバー３０は、側辺支脚上に固定され、側辺開口を遮って延長コードコンセントを固定し、電源差込口を露出させる開口３１を有する。【選択図】図２
0003213414.tif 000002
【実用新案登録請求の範囲】
【請求項１】
テーブルトップと、前記テーブルトップの両側端に位置する二側辺支脚とを有し、前記二側辺支脚の少なくとも一方に収容空間を有し、前記収容空間に側壁と、外に向かって開放する側辺開口とを有し、前記側壁にＵ字型フラットケーブル溝を有するモニタースタンド本体と、
少なくとも一つの電源差込口と電源線とを有し、収容空間に収容され、少なくとも一つの電源コンセントが側辺開口に向かって、前記電源線がＵ字型フラットケーブル溝を通す延長コードコンセントと、
前記側辺支脚上に固定され、しかもその側辺開口を遮蔽して延長コードコンセントを固定されており、少なくとも一つの電源差込口を露出させる開口を有するサイドカバーと、を含むことを特徴とするモニタースタンド。
【請求項２】
前記モニタースタンド本体の両側端からサイドプレートがそれそれ下に向かって延伸されて前記二側辺支脚を構成されることを特徴とする請求項１に記載のモニタースタンド。
【請求項３】
サイドプレートの底部には、複数凹凸リブがあることを特徴とする請求項２に記載のモニタースタンド。
【請求項４】
前記収容空間には、延長コードコンセントを挟み止める複数位置決めフィルムが設置することを特徴とする請求項１に記載のモニタースタンド。
【請求項５】
前記モニタースタンド本体は、前記Ｕ字型フラットケーブル溝から遠く離れる前端面を有することを特徴とする請求項１に記載のモニタースタンド。
【請求項６】
前記少なくとも一つの電源差込口は、市電コンセントとUSBソケットで構成されるものを選ぶことを特徴とする請求項１に記載のモニタースタンド。
【請求項７】
前記サイドカバーには複数支柱があり、これらの支柱がそれぞれねじ穴を有し、前記側辺支脚には、前記ねじ穴に対応し貫通された複数ロック穴があり、これらのロック穴に複数ねじが通して前記ねじ穴にねじ止めて前記サイドカバーを固定することを特徴とする請求項１に記載のモニタースタンド。
【請求項８】
前記モニタースタンド本体は、前記二側辺支脚の間に、複数ねじにより前記モニタースタンド本体にねじ止める拡張ソケットボトムカバーと、前記拡張ソケットボトムカバー上に装着された複数ソケットある拡張ソケットが設置することを特徴とする請求項１に記載のモニタースタンド。
【請求項９】
これらの差込口は、オーディオアウトプットソケット、オーディオインプットソケット、マイクインプットソケット、マイクアウトプットソケット、DVIアウトプットソケット、HDMIアウトプットソケット、SATAソケット、メモリーカードソケット及びUSBソケットのいずれから選ばれることを特徴とする請求項８に記載のモニタースタンド。
【請求項１０】
前記モニタースタンド本体には、前端面があり、これらの差込口は前記前端面の複数開口上にぴったり合わせることを特徴とする請求項８に記載のモニタースタンド。
【考案の詳細な説明】
【技術分野】
【０００１】
本考案は、モニタースタンドに関し、特に電源コンセントを有すモニタースタンドに関する。
【背景技術】
【０００２】
台湾実用新案第M523048号公報及び台湾実用新案第M504412号公報には、モニターを高く置くと使用者がモニターの下方にある空間によりキーボード、オフィス用品を収納する可能なスタンドフレームの構造が開示されている。このスタンドフレームは、テーブルトップの空間が増加して使用者の広く愛用になることができる。
【０００３】
使用上の便利性を高めるため、台湾実用新案第M523048号公報及び台湾実用新案第M504412号公報に述べたように、モニタースタンドに電源コンセントが設置すると、スマホ、小型パソコン、その他電気必要なオフィス用品に使用することができ、使用者が延長線を追加して使用するという困りごとを避けることができる。
【０００４】
しかし、前記公報に述べたように、モニタースタンドに電源コンセントが設置するが、その電源コンセントの設置する方法では、嵌め込み溝を利用する方法で、電源コンセントがそのまま嵌め込ませる。
【０００５】
従って、電源コンセントの電線がモニタースタンドの内部に入り込まなければならないので、電源コンセントが壊れた場合に外しにくく、メンテナンス上の困りごととなる。また、従来、電源コンセントの電線がモニタースタンドの下方の中間領域によって回るため、収納したものと干渉しやすく、使用可能な空間が削減される。言い換えば、従来のモニタースタンドでは、メンテナンスが不便で、しかも収納空間が削減され、明らかに使用上の需要を満足させることができない。
【先行技術文献】
【特許文献】
【０００６】
【特許文献１】台湾実用新案第M523048号公報
【特許文献２】台湾実用新案第M504412号公報
【考案の概要】
【考案が解決しようとする課題】
【０００７】
本考案の主な目的は、モニタースタンド本体と、延長コードコンセントと、サイドカバーと、を含み、側辺から電源コンセントをメンテナンスする可能で、速やかに電源コンセントを交換できるという需要を満足させるモニタースタンドを提供することにある。
【課題を解決するための手段】
【０００８】
前記モニタースタンド本体は、テーブルトップと、前記テーブルトップの両側端に位置する二側辺支脚とを有し、前記二側辺支脚の少なくとも一方に収容空間を有し、前記収容空間に側壁と、外に向かって開放する側辺開口とを有し、前記側壁にＵ字型フラットケーブル溝を有する。前記延長コードコンセントは、少なくとも一つの電源コンセントと電源線とを有し、収容空間に収容され、少なくとも一つの電源コンセントが側辺開口に向かって、前記電源線がＵ字型フラットケーブル溝を通す。前記側辺サイドカバーは、前記側辺支脚上に固定され、しかもその側辺開口を遮って延長コードコンセントを固定されており、少なくとも一つの電源コンセントを露出させる開口を有する。
【考案の効果】
【０００９】
よって、本考案のモニタースタンドによれば、以下のような効果がある。
1、側辺から前記サイドカバーを外して、速やかに前記電源コンセントを交換できるという需要を満足させる。
2、前記延長コードコンセントは、市販の延長コードコンセントであるので、使用者が自ら市販の延長コードコンセントを購入し交換し、速やかにメンテナンスしてメンテナンスの便利性を向上させることができる。    
3、前記延長コードコンセントの電源線は、そのままＵ字型フラットケーブル溝によって後へ案内されて、収納したものとの干渉を避け、収納空間が増加させる。
【図面の簡単な説明】
【００１０】
【図１】本考案によるモニタースタンドの斜視図である。
【図２】本考案によるモニタースタンドの分解斜視図である。
【考案を実施するための最良の形態】
【００１１】
本考案によるモニタースタンドの特徴、目的及び効果をもっと分かりやすいため、図面を参照しながら詳細に説明する。
【００１２】
図１及び図２を参照すると、本考案では、モニタースタンドは、モニタースタンド本体10と延長コードコンセント20とサイドカバー30とを含む。
【００１３】
前記モニタースタンド本体10は、テーブルトップ11と、前記テーブルトップ11の両側端に位置する二側辺支脚12とを有し、前記二側辺支脚12は、それぞれ前記モニタースタンド本体10の両側端から下方へサイドプレート121が延伸して構成され、即ち前記モニタースタンド本体10と前記二側辺支脚12との一体成形構造になることも可能であって、構造強度を高めて構造が簡略化になり、組立上の困りごとを減らし、しかもサイドプレート121の底部には、複数凹凸リブ122があって、構造強度を高めながら滑り止めの効果を有する。
【００１４】
前記二側辺支脚12の少なくとも一方に収容空間13を有し、前記収容空間13に側壁131と、外に向かって開放する側辺開口132とを有し、前記側壁131にＵ字型フラットケーブル溝133を有する。
【００１５】
前記収容空間13には、延長コードコンセント20を挟み止める複数位置決めフィルム134が設置して、これらの位置決めフィルム134により延長コードコンセント20を挟み止めて固定する。
【００１６】
前記延長コードコンセント20は、少なくとも一つの電源差込口21と電源線22を有し、収容空間13に収容され、前記少なくとも一つの電源差込口21が側辺開口132に向かって、前記電源線22がＵ字型フラットケーブル溝133を通し、前記電源差込口21は、市電コンセントとUSBソケットで構成されるものを選んで、市電と5Ｖ（USBソケット）との電源を供給する。
【００１７】
また、前記モニタースタンド本体10は、前記Ｕ字型フラットケーブル溝133から遠く離れる前端面14を有する。これにより、前記延長コードコンセント20の電源線22は、Ｕ字型フラットケーブル溝133を通した後、そのまま前記モニタースタンド本体10の後に位置するので、前記モニタースタンド本体10の下方にある収納空間は増加される。
【００１８】
前記サイドカバー30は、側辺支脚12上に固定され、側辺開口132を遮って延長コードコンセント20を固定し、しかも前記少なくとも一つの電源差込口21を露出して形状が電源差込口21の形状に応じる開口31を有する。
【００１９】
前記サイドカバー30には複数凸支柱32があり、これらの凸支柱32にそれぞれねじ穴321を有し、前記側辺支脚12には、前記ねじ穴321に対応し貫通された複数ロック穴15があり、これらのロック穴15に複数ねじ40を通して前記ねじ穴321にねじ止めて前記サイドカバー30を固定する。よって、前記サイドカバー30は、内部から外部への方式でねじ止めて固定され、シンプルでありながら質感をもつ外観になる。
【００２０】
なお、機能を増やして使用者の需要に合致するため、本考案によるモニタースタンド本体10は、さらに前記二側辺支脚12の間に拡張ソケットボトムカバー50と拡張ソケット51が設置され、前記拡張ソケットボトムカバー50は複数ねじ40によりモニタースタンド本体10にねじ止め、前記拡張ソケット51は拡張ソケットボトムカバー50上に装着され、前記前端面14の複数開口141上にぴったり合わせる複数差込口511を有する。
【００２１】
これらの差込口511は、必要に応じて、オーディオアウトプットソケット、オーディオインプットソケット、マイクインプットソケット、マイクアウトプットソケット、DVIアウトプットソケット、HDMIアウトプットソケット、SATAソケット、メモリーカードソケット及びUSBソケットのいずれから選ばれる。
【００２２】
前述したように、従来に相対する本考案は以下のような特徴がある。
1、側辺から前記サイドカバーを外して、速やかに前記電源コンセントを交換できるという需要を満足させる。
2、前記延長コードコンセントは、市販の延長コードコンセントであるので、使用者が自ら市販の延長コードコンセントを購入して交換でき、速やかにメンテナンスしてメンテナンスの便利性を向上させることができる。
3、Ｕ字型フラットケーブル溝の設置で、前記延長コードコンセントの電源線がそのまま後へ案内されることが可能であり、収納するものとの干渉を避け、収納空間が増加する。
4、凹凸リブの設計で、構造強度を高めながら滑り止めの効果を有する。    
5、位置決めフィルムの設計で、延長コードコンセントを挟み止めることが可能であり、組立の便利性が向上する。
【００２３】
以上で述べたものは本考案の好ましい実施例であり、本考案の実施範囲に限られることではなく、本考案の実用新案登録請求範囲による同等的な変形と修整は、全て本考案の実用新案登録請求範囲内に属する。
【符号の説明】
【００２４】
１０  モニタースタンド本体
１１  テーブルトップ
１２  二側辺支脚
１２１  サイドプレート
１２２  凹凸リブ
１３  収容空間
１３１  側壁
１３２  側辺開口
１３３  Ｕ字型フラットケーブル溝
１３４  位置決めフィルム
１４  前端面
１４１  開口
１５  ロック穴
２０  延長コードコンセント
２１  電源差込口
２２  電源線
３０  サイドカバー
３１  開口
３２  凸支柱
３２１  ねじ穴
４０  ねじ
５０  ソケットボトムカバー
５１  拡張ソケット
５１１  差込口
【図１】
0003213414.tif 000003
【図２】
0003213414.tif 000004